(57)【要約】【課題】安全性及び汎用性を確保し、かつ安価で簡便な刈払機用アタッチメントを提供する。【解決手段】刈払機の先端部に固着される刈刃カバー２０である。クリップばね２１と、刈刃カバー本体２５とからなる刈刃カバー２０であって、クリップばね２１は両端が開放された円環状の本体部２２と、両端から外側へ延びる２つの保持部２３とを有し、刈刃カバー本体２５には保持部２３が各々挿入される透孔２７ａが設けられている。【選択図】図１
2014033633.tif 000002
【特許請求の範囲】
【請求項１】
刈払機の先端部に固着される刈払機用アタッチメントにおいて、
クリップばねと、アタッチメント本体とからなる刈払機用アタッチメントであって、
該クリップばねは、両端が開放された円環状の本体部と、該両端から外側へ延びる２つの保持部とを有し、
該アタッチメント本体には、該保持部が各々挿入される透孔が設けられていることを特徴とする刈払機用アタッチメント。
【請求項２】
前記アタッチメント本体には、複数組の透孔が設けられていることを特徴とする請求項１記載の刈払機用アタッチメント。
【請求項３】
前記クリップばねの前記本体部には、刈払機のギアヘッドが嵌入されることを特徴とする請求項１又は２記載の刈払機用アタッチメント。
【発明の詳細な説明】
【技術分野】
【０００１】
本発明は、刈払機の先端部に取付けられるアタッチメントに関する。
【背景技術】
【０００２】
従来、刈払機の先端部に取付けられる刈払機用アタッチメントとして特許文献１及び２に記載されたものが知られている。特許文献１に記載されたものは、図１１に示すように、操作棹８０の先端部に取付金具８４をボルトナットで固着することにより、刈払機用アタッチメントとしての草寄せ板８３が刈払機の先端部に取付けられている。なお、刈払機の先端部にはギアヘッド８１が取付けられ、ギアヘッド８１には刈刃８２が回転可能に取付けられている。
【０００３】
また、特許文献２に記載されたものは、図１２に示すように、操作棹９０の先端部に取付板９４と刈払機用アタッチメントとしての刈刃カバー９３とをボルト９５で固着するとともに、ギアヘッド９１に刈刃カバー９３をボルト９６で固着する。これにより、刈刃カバー９３が刈払機の先端部に取付けられている。なお、刈払機の先端部にはギアヘッド９１が取付けられ、ギアヘッド９１には刈刃９２が回転可能に取付けられている。こうして、草寄せ板８３及び刈刃カバー９３は、刈払機用アタッチメントとしての機能を果たすことができる。
【先行技術文献】
【特許文献】
【０００４】
【特許文献１】実開平２−６７７２１号公報
【特許文献２】実開平１−１７８３２３号公報
【発明の概要】
【発明が解決しようとする課題】
【０００５】
しかし、上記特許文献１記載の草寄せ板８３では、取付金具８４のボルトナットでの締め付けが甘かった場合や、刈払機使用中の振動及び衝撃によりボルトナットが緩んだ場合には、図１１の矢印Ａに示すように、草寄せ板８３が操作棹８０の軸回りに回転してしまう。これにより、草寄せ板８３が刈刃８２に接触する。特に、草寄せ板８３の端部８３ａが刈刃８２に接触すると、刈刃８２が破損する虞があり、非常に危険である。
【０００６】
これに対し、上記特許文献２記載の刈刃カバー９３では、刈刃カバー９３の操作棹９０の軸回りの回転、及び長手方向の移動が確実に抑制されて、刈刃カバー９３が刈刃９２に接触することはなく安全性が確保される。しかし、刈刃カバー９３をギアヘッド９１にボルト９６で固着することから、ギアヘッド９１の所定の位置にボルト９６用のねじ穴を開けなければならず、専用のギアヘッド９１が必要となって汎用性に欠ける。
【０００７】
また、ベルト状の取付具をギアヘッド及び操作棹に巻き付け、取付具と刈払機用アタッチメントとをボルトで締め付けて、刈払機用アタッチメントを操作棹の先端部に固着することも考えられる。これによれば、ギアヘッドにねじ穴を開ける必要がなく汎用性が確保されるものの、刈払機用アタッチメントの操作棹の軸回りの回転、及び長手方向の移動を抑制するためには、取付具と刈払機用アタッチメントとをボルトで強く締め付けなければならない。しかしながら、あまり強く締め付けたのでは、ギアヘッド内のベベルギアのクリアランスの減少等の不具合が生じる虞があり、ギアヘッドの早期破損が懸念される。
【０００８】
本発明はかかる従来の問題点に鑑みてなされたものであり、安全性及び汎用性を確保し、かつ安価で簡便な刈払機用アタッチメントを提供するものである。
【課題を解決するための手段】
【０００９】
上記の課題を解決するために、請求項１に係る刈払機用アタッチメントの特徴は、刈払機の先端部に固着される刈払機用アタッチメントにおいて、クリップばねと、アタッチメント本体とからなる刈払機用アタッチメントであって、該クリップばねは、両端が開放された円環状の本体部と、該両端から外側へ延びる２つの保持部とを有し、該アタッチメント本体には、該保持部が各々挿入される透孔が設けられていることである。
【００１０】
請求項２に係る刈払機用アタッチメントの特徴は、前記アタッチメント本体には、複数組の透孔が設けられていることである。
【００１１】
請求項３に係る刈払機用アタッチメントの特徴は、前記クリップばねの前記本体部には、刈払機のギアヘッドが嵌入されることである。
【発明の効果】
【００１２】
請求項１に係る刈払機用アタッチメントはクリップばねとアタッチメント本体とからなり、アタッチメント本体にはクリップばねの保持部が挿入される透孔が設けられている。そのため、クリップばねの本体部に刈払機の操作棹やギアヘッドを嵌入し、クリップばねの保持部をアタッチメント本体の透孔に挿入することにより、刈払機用アタッチメントを操作棹の先端部に固着することができる。そのため、このクリップばねに他の取付具を併用すれば、刈払機用アタッチメントの操作棹軸回りの回転、及び長手方向の移動が確実に抑制されて、刈払機用アタッチメントが刈刃に接触することはなく安全性が確保される。
【００１３】
また、この刈払機用アタッチメントでは、操作棹やギアヘッドの所定の位置にボルト用のねじ穴を開ける必要がないため、専用の操作棹やギアヘッドを必要とせず汎用性がある。さらには、この刈払機用アタッチメントでは、クリップばね以外に特別な部品を必要とせず、安価である上、取り扱いが簡単かつ便利である。したがって、この刈払機用アタッチメントによれば、安全性及び汎用性が確保され、かつ安価で簡便である。
【００１４】
請求項２に係る刈払機用アタッチメントにおいては、アタッチメント本体には複数組の透孔が設けられているため、異なるメーカーや異なる品番の刈払機であっても対応が可能で、さらに汎用性が確保される。
【００１５】
請求項３に係る刈払機用アタッチメントにおいては、クリップばねの本体部に刈払機のギアヘッドが嵌入される。そのため、ギアヘッドが締め付けられ過ぎることはなく、ギアヘッド内のベベルギアのクリアランスの減少等の不具合が生じる虞はない。
【図面の簡単な説明】
【００１６】
【図１】実施形態１の刈払機用アタッチメントの斜視図。
【図２】実施形態１の刈払機用アタッチメントに係り、アタッチメント本体の断面図。
【図３】実施形態１の刈払機用アタッチメントの取付け平面図。
【図４】実施形態１の刈払機用アタッチメントの取付け正面図。
【図５】実施形態２の刈払機用アタッチメントの斜視図。
【図６】実施形態２の刈払機用アタッチメントの取付け平面図。
【図７】実施形態２の刈払機用アタッチメントの取付け正面図。
【図８】実施形態３の刈払機用アタッチメントの斜視図。
【図９】実施形態３の刈払機用アタッチメントの取付け平面図。
【図１０】実施形態３の刈払機用アタッチメントの取付け正面図。
【図１１】従来の草寄せ板の取付け平面図。
【図１２】従来の刈刃カバーの取付け正面図。
【発明を実施するための形態】
【００１７】
本発明に係る刈払機用アタッチメントを具体化した実施形態１〜３を図面に基づいて以下に説明する。ただし、図１１及び図１２に示すものと同様の構成については同じ記号を使用する。まず、実施形態１の刈払機用アタッチメントについて説明する。図１は、刈払機用アタッチメントとしての刈刃カバー２０の斜視図である。図１に示すように、この刈刃カバー２０は、クリップばね２１と、アタッチメント本体としての刈刃カバー本体２５とからなっている。
【００１８】
クリップばね２１は、両端が開放された円環状の本体部２２と、両端から外側へ延びる２つの保持部２３とを有し、保持部２３の先端２３ａは互いに離反して湾曲するフック状になっている。刈刃カバー本体２５は、プレート２６と取付台２７と取付板２８とからなっている。図２にも示すように、プレート２６と取付台２７とは一体成形されている。ここで、図２は、取付板２８を除く刈刃カバー本体２５の断面図である。
【００１９】
取付台２７の所定の位置には、一対の透孔２７ａが４組設けられている。また、取付台２７の上部には、取付板２８と対をなす取付部２７ｂが設けられている。取付板２８は、取付台２７の取付部２７ｂとともに操作棹９０を固着するものである。
【００２０】
上記の構成をした刈刃カバー２０の刈払機への取付け方法について、図３及び図４を用いて説明する。図３は刈刃カバー２０の刈払機への取付平面図であり、図４は刈刃カバー２０の刈払機への取付正面図である。まず、取付台２７の取付部２７ｂが操作棹９０の刈刃９２側になるように、プレート２６を操作棹９０の先端部の所定の位置に合わせる。そして、クリップばね２１の先端２３ａの間にギアヘッド９１を入れ、本体部２２にギアヘッド９１を嵌入する。
【００２１】
その後、保持部２３を互いに近接するように押し、一対の透孔２７ａにクリップばね２１の先端２３ａから保持部２３を挿入する。一対の透孔２７ａに保持部２３が所定の位置まで挿入されて、プレート２６がクリップばね２１により操作棹９０の先端部に取付けられる。最後に、取付台２７の取付部２７ｂと取付板２８とにより操作棹９０を挟み込み、取付部２７ｂと取付板２８とをボルト２９で締め付けて、刈刃カバー２０の刈払機へ取付けが終了する。
【００２２】
実施形態１の刈払機用アタッチメントにおいては、刈刃カバー２０がクリップばね２１と刈刃カバー本体２５とからなり、刈刃カバー本体２５の取付台２７にはクリップばね２１の保持部２３が挿入される透孔２７ａが設けられている。そのため、クリップばね２１の本体部２２に刈払機のギアヘッド９１を嵌入し、クリップばね２１の保持部２３を取付台２７の透孔２７ａに挿入することにより、刈刃カバー２０を操作棹９０の先端部に固着することができる。そのため、このクリップばね２１に取付板２８を併用すれば、刈刃カバー２０の操作棹９０軸回りの回転、及び長手方向の移動が確実に抑制されて、刈刃カバー２０が刈刃９２に接触することはなく安全性が確保される。
【００２３】
また、この刈払機用アタッチメントでは、操作棹９０やギアヘッド９１の所定の位置にボルト用のねじ穴を開ける必要がないため、専用の操作棹９０やギアヘッド９１を必要とせず汎用性がある。さらには、この刈払機用アタッチメントでは、クリップばね２１以外に特別な部品を必要とせず、安価である上、取り扱いが簡単かつ便利である。したがって、この刈払機用アタッチメントによれば、安全性及び汎用性が確保され、かつ安価で簡便である。
【００２４】
また、この刈払機用アタッチメントにおいては、プレート２６の取付台２７には４組の透孔２７ａが設けられているため、異なるメーカーや異なる品番の刈払機であっても対応が可能で、さらに汎用性が確保される。
【００２５】
次に、実施形態２の刈払機用アタッチメントについて説明する。図５は、刈払機用アタッチメントとしての草寄せ板１０の斜視図である。図５に示すように、この草寄せ板１０は、クリップばね１１と、アタッチメント本体としての草寄せ板本体１５とからなっている。
【００２６】
クリップばね１１は、両端が開放された円環状の本体部１２と、両端から外側へ延びる２つの保持部１３とを有し、保持部１３の先端１３ａは互いに離反して湾曲するフック状になっている。草寄せ板本体１５は、プレート１６と取付金具１７とからなっている。プレート１６は、草を寄せ集めて刈り取り易くするものであり、所定の位置に一対の透孔１６ａが４組設けられている。取付金具１７は、第１金具１７ａと第２金具１７ｂとからなり、第１金具１７ａがプレート１６に固着されている。
【００２７】
上記の構成をした草寄せ板１０の刈払機への取付け方法について、図６及び図７を用いて説明する。図６は草寄せ板１０の刈払機への取付平面図であり、図７は草寄せ板１０の刈払機への取付正面図である。まず、第１金具１７ａが操作棹８０の刈刃８２側になるように、プレート１６を操作棹８０の先端部の所定の位置に合わせる。そして、クリップばね１１の先端１３ａの間にギアヘッド８１を入れ、本体部１２にギアヘッド８１を嵌入する。
【００２８】
その後、保持部１３を互いに近接するように押し、一対の透孔１６ａにクリップばね１１の先端１３ａから保持部１３を挿入する。一対の透孔１６ａに保持部１３が所定の位置まで挿入されて、プレート１６がクリップばね１１により操作棹８０の先端部に取付けられる。最後に、第１金具１７ａと第２金具１７ｂとにより操作棹８０を挟み込み、第１金具１７ａと第２金具１７ｂとをボルトナットで締め付けて、草寄せ板１０の刈払機へ取付けが終了する。
【００２９】
実施形態２の刈払機用アタッチメントにおいては、草寄せ板１０がクリップばね１１と草寄せ板本体１５とからなり、草寄せ板本体１５にはクリップばね１１の保持部１３が挿入される透孔１６ａが設けられている。そのため、クリップばね１１の本体部１２に刈払機のギアヘッド８１を嵌入し、クリップばね１１の保持部１３をプレート１６の透孔１６ａに挿入することにより、草寄せ板１０を操作棹８０の先端部に固着することができる。そのため、このクリップばね１１に取付金具１７を併用すれば、草寄せ板１０の操作棹８０軸回りの回転、及び長手方向の移動が確実に抑制されて、草寄せ板１０が刈刃８２に接触することはなく安全性が確保される。
【００３０】
また、この刈払機用アタッチメントでは、操作棹８０やギアヘッド８１の所定の位置にボルト用のねじ穴を開ける必要がないため、専用の操作棹８０やギアヘッド８１を必要とせず汎用性がある。さらには、この刈払機用アタッチメントでは、クリップばね１１以外に特別な部品を必要とせず、安価である上、取り扱いが簡単かつ便利である。したがって、この刈払機用アタッチメントによれば、安全性及び汎用性が確保され、かつ安価で簡便である。
【００３１】
また、この刈払機用アタッチメントにおいては、草寄せ板本体１５のプレート１６には４組の透孔１６ａが設けられているため、異なるメーカーや異なる品番の刈払機であっても対応が可能で、さらに汎用性が確保される。
【００３２】
さらに、この刈払機用アタッチメントにおいては、クリップばね１１の本体部１２に刈払機のギアヘッド８１が嵌入される。そのため、ギアヘッド８１が締め付けられ過ぎることはなく、ギアヘッド８１内のベベルギアのクリアランスの減少等の不具合が生じる虞はない。また、クリップばね１１と刈刃８２とが平行になっているため、草寄せ板１０が刈刃８２に接触する方向の回転（草寄せ板１０の操作棹８０軸回りの回転）がさらに確実に抑制される。
【００３３】
次に、実施形態３の刈払機用アタッチメントについて説明する。図８は、刈払機用アタッチメントとしての刈刃カバー３０の斜視図である。図８に示すように、この刈刃カバー３０は、クリップばね２１と、アタッチメント本体としての刈刃カバー本体３５とからなっている。クリップばね２１は実施形態１と同様のものであり、その説明を省略する。刈刃カバー本体３５は、プレート３６と支持台３７と支持板３８と取付板３９とからなっている。支持台３７と支持板３８とは、プレート３６上に立設されている。支持台３７の所定の位置には、一対の透孔３７ａが４組設けられている。取付板３９は、支持板３８とともに操作棹を固着するものである。
【００３４】
上記の構成をした刈刃カバー３０の刈払機への取付け方法について、図９及び図１０を用いて説明する。図９は刈刃カバー３０の刈払機への取付平面図であり、図１０は刈刃カバー３０の刈払機への取付正面図である。まず、支持台３７と支持板３８とが操作棹７０の刈刃７２側になるように、プレート３６を操作棹７０の先端部の所定の位置に合わせる。そして、クリップばね２１の先端２３ａの間にギアヘッド７１を入れ、本体部２２にギアヘッド７１を嵌入する。
【００３５】
その後、保持部２３を互いに近接するように押し、一対の透孔３７ａにクリップばね２１の先端２３ａから保持部２３を挿入する。一対の透孔３７ａに保持部２３が所定の位置まで挿入されて、プレート３６がクリップばね２１により操作棹７０の先端部に取付けられる。最後に、取付板３９に操作棹７０を挟み込み、支持板３８と取付板３９とをボルトで締め付けて、刈刃カバー３０の刈払機へ取付けが終了する。
【００３６】
実施形態３の刈払機用アタッチメントにおいては、刈刃カバー３０がクリップばね３１と刈刃カバー本体３５とからなり、刈刃カバー本体３５の支持台３７にはクリップばね２１の保持部２３が挿入される透孔３７ａが設けられている。そのため、クリップばね２１の本体部２２に刈払機のギアヘッド７１を嵌入し、クリップばね２１の保持部２３を支持台３７の透孔３７ａに挿入することにより、刈刃カバー３０を操作棹７０の先端部に固着することができる。そのため、このクリップばね２１に支持板３８及び取付板３９を併用すれば、刈刃カバー３０の操作棹７０軸回りの回転、及び長手方向の移動が確実に抑制されて、刈刃カバー３０が刈刃７２に接触することはなく安全性が確保される。
【００３７】
また、この刈払機用アタッチメントでは、操作棹７０やギアヘッド７１の所定の位置にボルト用のねじ穴を開ける必要がないため、専用の操作棹７０やギアヘッド７１を必要とせず汎用性がある。さらには、この刈払機用アタッチメントでは、クリップばね２１以外に特別な部品を必要とせず、安価である上、取り扱いが簡単かつ便利である。したがって、この刈払機用アタッチメントによれば、安全性及び汎用性が確保され、かつ安価で簡便である。
【００３８】
また、この刈払機用アタッチメントにおいては、プレート３６の支持台３７には４組の透孔３７ａが設けられているため、異なるメーカーや異なる品番の刈払機であっても対応が可能で、さらに汎用性が確保される。
【００３９】
さらに、この刈払機用アタッチメントにおいては、クリップばね２１の本体部２２に刈払機のギアヘッド７１が嵌入される。そのため、ギアヘッド７１が締め付けられ過ぎることはなく、ギアヘッド７１内のベベルギアのクリアランスの減少等の不具合が生じる虞はない。また、クリップばね２１と刈刃７２とが平行になっているため、刈刃カバー３０が刈刃７２に接触する方向の回転（刈刃カバー３０の操作棹７０軸回りの回転）がさらに確実に抑制される。
【００４０】
以上、本発明の刈払機用アタッチメントを実施形態１〜３に即して説明したが、本発明はこれらに制限されるものではなく、本発明の技術的思想に反しない限り、適宜変更して適用できることはいうまでもない。例えば、実施形態１〜３において、刈払機用アタッチメントは草寄せ板及び刈刃カバーであったが、巻付き防止板等であってもよい。また、アタッチメント本体の透孔は４組に限られず、これ以外、例えば３組であってもよい。
【符号の説明】
【００４１】
１０，２０，３０…刈払機用アタッチメント（１０…草寄せ板、２０，３０…刈刃カバー）、１１，２１…クリップばね、１２，２２…本体部、１３，２３…保持部、１５，２５，３５…アタッチメント本体（１５…草寄せ板本体、２５，３５…刈刃カバー本体）、１６ａ，２７ａ，３７ａ…透孔、７１，８１，９１…ギアヘッド。
【図１】
2014033633.tif 000003
【図２】
2014033633.tif 000004
【図３】
2014033633.tif 000005
【図４】
2014033633.tif 000006
【図５】
2014033633.tif 000007
【図６】
2014033633.tif 000008
【図７】
2014033633.tif 000009
【図８】
2014033633.tif 000010
【図９】
2014033633.tif 000011
【図１０】
2014033633.tif 000012
【図１１】
2014033633.tif 000013
【図１２】
2014033633.tif 000014